(57)【要約】【課題】マットからカバーが外れないように簡単に装着できるとともにマット自体も床面に固定することのできるマットカバーを提供する。【解決手段】本考案は、珪藻土マット（２）の表側面のみを被覆する布帛のカバーである。タテ方向およびヨコ方向の少なくともいずれか一方向の両端部（１２）に沿って粘着材層（１３）を設けている。粘着材層（１３）は自己粘着性を有する吸着シートであることが好ましい。本考案は、前記珪藻土マットのカバー（１）と組み合わせてセットとなった珪藻土マット（２）も含む。【選択図】図２
0003205386.tif 000002
【実用新案登録請求の範囲】
【請求項１】
珪藻土マット（２）の表側面のみを被覆する布帛のカバーであり、タテ方向およびヨコ方向の少なくともいずれか一方向の両端部（１２）に沿って床面接着用の粘着材層（１３）を設けたことを特徴とする、珪藻土マットのカバー（１）。
【請求項２】
前記粘着材層（１３）が自己粘着性を有する吸着シートである請求項１記載の珪藻土マットのカバー（１）。
【請求項３】
珪藻土マットのカバー（１）と組み合わせてセットとなった珪藻土マット（２）であり、
前記珪藻土マットのカバー（１）は、前記珪藻土マット（２）の表側面のみを被覆する布帛のカバーであり、タテ方向およびヨコ方向の少なくともいずれか一方向の両端部（１２）に沿って床面接着用の粘着材層（１３）を設けたものである
ことを特徴とする、珪藻土マット（２）。
【考案の詳細な説明】
【技術分野】
【０００１】
本考案は、浴室やシャワー室、プール等に使用される足拭きマットに装着するカバーに関する。
【背景技術】
【０００２】
従来、浴室やシャワー室、プール等に使用される足拭きマットは、タオル生地や麻等で出来たものがほとんどである。しかし、この足ふきマットは、頻繁に使用すると短時間で吸水性能が低下し、濡れた足の水分を十分にぬぐい取れなくなるという欠点があった。
【０００３】
この点を解決するために、高吸水性、表面速乾性に優れた足拭きマットとして、珪藻土を固めてパネルとした珪藻土マットが開発された（特許文献１参照）。
【０００４】
しかし、この珪藻土マットは板状で比較的に重量があるので、表面を衛生的に保つのが難しく、汚れを取るためにせいぜい水拭きする程度である。その結果、不特定多数の人が使用するような環境では、表面が不衛生なものとなりがちである。また、素足でマットの上に乗るときの冷たい感触を嫌う人もいる。
【０００５】
この点を解決するために、珪藻土マットの表面をカバーで覆う提案もなされている（特許文献２参照）。カバーをつければ、足で直接珪藻土マットに触れることはなくなるとともに、カバーであれば頻繁に洗濯ができて衛生的だからである。
【先行技術文献】
【特許文献】
【０００６】
【特許文献１】特開２００３−２６７７６９号公報
【特許文献２】特開２００２−１７５５２号公報
【考案の概要】
【考案が解決しようとする課題】
【０００７】
上記特許文献２は、珪藻土マットの表裏両面を覆うタイプと表面のみを覆うタイプの２種類のカバーを開示している。表裏両面を覆うタイプは袋状であるので、板状で重量がある珪藻土マットにかぶせるのは厄介な作業となる。表面のみを覆うタイプは、装着は容易であるが、カバーの表面に皺ができたり、珪藻土マットからカバーが外れたりしやすい。  また、特に後者のタイプでは、珪藻土マットの裏面が露出しているので、水気の多い場所では滑りやすく、その上に乗る使用者がけがをするおそれがある。これを避けるためには、例えば珪藻土マットの裏面に直接滑り止め加工を施すことが考えられるが、面倒であるとともに、マットの裏表をひっくり返して使用することができなくなる。
【０００８】
本考案はこの従来技術の欠点をなくすために行われたもので、マットからカバーが外れないように簡単に装着できるとともに、カバーが珪藻土マットを床面に固定する役割を果たすことのできるようなマットカバーを提供することを目的とする。
【課題を解決するための手段】
【０００９】
本考案の珪藻土マットカバーは、珪藻土マットの表側面のみを被覆する布帛であり、タテ方向およびヨコ方向の少なくともいずれか一方向の両端部に沿って床面接着用の粘着材層を設けたことを特徴とする。
【００１０】
粘着材層は、タテ方向およびヨコ方向の両方の両端部に沿って設けてもよいが、通常はどちらか一方向で十分である。
【００１１】
前記粘着材層としては接着剤を使用しない自己粘着性を有する吸着シートが好ましい。
【００１２】
本考案は見方を変えれば、珪藻土マットカバーと組み合わせてセットとなった珪藻土マットとしてとらえることもできる。
【考案の効果】
【００１３】
本考案のマットカバーによれば、タテ方向およびヨコ方向の少なくともいずれか一方向の両端部に沿って粘着材層を設けているので、この粘着材層を床面に付着させることで、珪藻土マットを簡単に固定することができる。その結果、珪藻土マットが滑ることがなくなり、それに起因する事故も無くすことができる。
【００１４】
また、固定状態では、カバーに皺が寄りにくく、簡単に外れることもない。さらに、本考案のマットカバーは珪藻土マットの表側面のみを被覆するので、設置が極めて容易であり、取り外して洗濯することも容易である。
【図面の簡単な説明】
【００１５】
【図１】本考案の珪藻土マットに装着した状態の珪藻土マットカバーの斜視図である。
【図２】図１の珪藻土マットの（ａ）平面図と、（ｂ）底面図である。
【図３】図２の矢示部の断面図である。
【図４】図３の端部拡大断面図である。
【考案を実施するための形態】
【００１６】
以下、添付の図面に基づき、本考案の実施例を説明する。
【００１７】
図１、図２に示すように、本実施例の珪藻土マットカバー１は珪藻土マット２の表面のみを覆うタイプの一種である。
【００１８】
珪藻土マット２は、高い吸湿性能を有する珪藻土からなる多孔質粒体の層である。その製造法として、焼成タイプと不焼成タイプがある。前者は、珪藻土の粉砕物を単独で使用するか、またはこれを主成分としてその他のセラックス原料と配合して成形し、焼成したものである。後者は、珪藻土の粉砕物を単独で使用するか、またはこれをフィラーとしてその他の石膏系、セメント系等の材料と複合して成形し、不焼成としたものである。
【００１９】
珪藻土マット２は、現在いくつかのメーカーにより例えばバスマットとして市販されている。平均的な珪藻土バスマットのサイズは、タテ２８０〜４２５ｍｍ、ヨコ４５０〜６００ｍｍ、厚み１０〜２５ｍｍである。
【００２０】
一方、本考案のマットカバー１は、図１、図２に示す汎用サイズのものでは、珪藻土マット２よりもタテヨコとも大きく、この実施例ではタテ５１０ｍｍ、ヨコ５７５ｍｍに設定している。そのため、市販の珪藻土マット２のレギュラーサイズおよびミニサイズのものなら全面的に覆い尽くすことができる。所望により、特定の珪藻土バスマットに適合させた専用サイズのものを複数種類用意することもできる。
【００２１】
本考案にとって大切なのは、タテ方向に十分ゆとりがあることである。なぜなら、タテ方向の両端部１２、すなわち、図２のカバー本体１１の上辺および下辺に沿って、自己粘着性を有する吸着シート１３をヨコ方向に３５ｍｍの均一幅で設けているからである。
【００２２】
なお、ここで使用した「タテ」「ヨコ」という用語は相対的なものであり、一般化すれば、タテ方向およびヨコ方向の一方向という意味である。
【００２３】
自己粘着性を有する吸着シート１１を形成するには、例えば、エチレン・酢酸ビニル共重合体樹脂、１５重量％以下の酢酸ビニル樹脂が混入されているエチレン・酢酸ビニル共重合体樹脂、ゴム系樹脂などを、カバー素材に対して塗工し、必要に応じて糸付けする。販売時にはこの吸着シートを離型シート（図示せず）で覆って、粘着力の低下を防止する。
【００２４】
カバー素材としては吸水速乾性を有する織物、編物などの布帛であれば足り、例えば、ポリエステル繊維やアクリル繊維などが用いられる。その他、吸水性に富むタオル地、綿やアクリルのパイルをタフトしてなるタフト地などであってもよい。
【００２５】
本考案のマットカバー１は、吸着シート１３を床面に付着させることで、珪藻土マット２を簡単に固定することができる。その結果、珪藻土マット２が滑ることもなくなり、それに起因する事故も無くすことができる。
【００２６】
使用時に生地に吸収された水分は生地表面に薄く引き伸ばされて、発散するとともに珪藻土マット２に吸収されるので、カバー表面はすぐに乾いた状態になる。
【００２７】
カバーが汚れたときには、粘着剤層を床面からはがすことにより、珪藻土マットから外し、洗濯することができるので、衛生的である。
【符号の説明】
【００２８】
１  珪藻土マットカバー
１１  カバー本体
１２  カバー両端部
１３  粘着材層（吸着シート）
２  珪藻土マット
【図１】
0003205386.tif 000003
【図２】
0003205386.tif 000004
【図３】
0003205386.tif 000005
【図４】
0003205386.tif 000006